(57)【要約】      （修正有）【課題】被誘導者等に対してより明確確実に警告、合図、誘導方向等を知らしめられ、また発光体を伸縮式等にすることにより、より小型化、コンパクト化でき携帯や取り扱いを容易とする。【解決手段】合図灯等の発光体先端、基部等に軸を中心に遮断機型に開閉する２枚の発光体を配設し、発光体を引き出し矢印型の誘導灯とするもので、発光体を連続点灯、点滅点灯、サイクリック点灯等にマイコンスイッチで切り替え、被誘導者等に対して明確確実に警告、合図、誘導方向等を知らしめ、また発光体を伸縮式等にすることにより、携帯や取り扱いを容易とし、また折りたたみ式発光体をさらに前方方向に回転させ発光体の長さをさらに伸長させたり、折りたたみ式発光体の取り付け位置等の変更で指示灯、デルタサイン等と変化させる。【選択図】図１
0003113808.tif 000002
【実用新案登録請求の範囲】
【請求項１】
主発光体部に収納でき、軸を中心に２枚の遮断機型に開閉する発光体を具備する筒型や平板型等の合図誘導灯。
【請求項２】
テレスコピック式の中筒、外筒または段伸縮の発光体にあって、ロック機能付き請求項１記載の合図誘導灯。
【請求項３】
透明プラスチック等に光を拡散、散光反射させる構造の角錐、三角錐等のv型形状の切込みを配設した発光体を具備する請求項１記載の合図誘導灯。
【請求項４】
ワンスイッチで連続点灯、点滅点灯、サイクリック点灯、点滅＋サイクリック点灯等を切り替えることができるマイコンを具備する請求項１記載の合図誘導灯。
【考案の詳細な説明】
【技術分野】
【０００１】
本考案は、たとえば道路工事現場、事故現場、その他災害現場等における車両、歩行者等への合図、誘導、指示、警告灯等に関する。
【背景技術】
【０００２】
最近の高輝度、長時間の耐久等の開発が進んでいる赤色LED等を使用して、遠くからでも視認できる合図、誘導、指示、警告灯等とするものである。
【特許文献１】特開平１０−４０７０２公報
【考案の開示】
【考案が解決しようとする課題】
【０００３】
赤色LED等を利用した合図灯等は近年、たとえば道路工事、交通事故現場等における、車両、歩行者等への合図、誘導、指示灯等に利用しているが、平板式はかさばる、筒型合図灯は合図、誘導方向の明示等が不明確で被誘導者が認識困難である等の欠点があった。
【課題を解決するための手段】
【０００４】
赤色LED等を利用した筒型または平板式等の合図灯、誘導灯等の発光体先端や基部等に軸を中心に遮断機型に開閉する発光体を配設し、さらに筒本体等を伸縮式とすることにより小型化、コンパクト化させ、マイコンスイッチによる発光体の連続点灯、点滅点灯、サイクリック点灯等と切り替えまたこれらを組み合わせることにより、矢印型の誘導灯、指示灯、デルタサイン等と変化させるものである。
【考案の効果】
【０００５】
赤色LEDを利用した筒型合図灯等は近年、たとえば道路工事、交通事故現場等における車両、歩行者等への合図、誘導灯として利用されており、筒型の合図灯では被誘導者に対して合図、誘導方向がわかりにくく平板式はかさばる等の欠点があったが、これらの欠点不便さを解消するため、基本的には、合図灯等の発光体先端、または基部に軸を中心に開閉する遮断機型発光体を配設して同発光体を引き出し矢印型の誘導灯とし使用するもので、引き出した遮断機型発光体をさらに回動させ伸長させたり、筒本体を伸縮式にすることで警告灯、デルタサイン等と変化させ汎用性を広げるとともに、同発光体を折りたたんで収納することにより、小型、コンパクト化を図るものである。
さらにマイコンスイッチの切り替えにより発光体型により連続点灯、点滅点灯、サイクリック点灯等と変化させることによりその機能をさらに高めることができ、これらの複数の合図誘導灯等の組み合わせにより被誘導者等に対してより明確確実に警告、合図、誘導方向等を知らしめられ、また発光体を伸縮式等にすることにより、より小型化、コンパクト化でき携帯や取り扱いを容易とするものである。
【考案を実施するための最良の形態】
【０００６】
本考案の説明は、構造がより複雑な筒型発光体の伸縮式形について説明する。
伸縮式とするには把持部を兼ね、その裏面に永久磁石を配設した電池ケースにワンスイッチで発光ダイオード全体のON・OFF、連続点灯回路、点滅回路、サイクリック点灯回路等を切り替えるマイコンスイッチを配設、スイッチ側を表面側として、中空円筒形で、先端部内側にリング状の中筒止め部を配設し、同先端部分に左右に貫通するストッパー受け穴を１箇所貫通させ、その裏面に永久磁石を配設し、基部にも左右に貫通するストッパー受け穴を１箇所貫通させ、その基部のストッパー受け穴から最先端の穴へとストッパーの移動レールと回転阻止を兼ねた溝加工をし、内面に磨りガラス状の荒い艶消し処理、赤色蛍光塗装をし、表面側に縦列に赤色発光ダイオードを配列した外筒を接続するが、同筒等、すべての発光体の材質はポリカーボネート系のプラスチックとし、以下プラスチックと称する。
【０００７】
その外筒内には、テレスコピック式にプラスチック中筒を配設するがその構造は外筒との間に若干の間隙を設け摺動自由にスライドでき、基部側の外側に外筒止めリング部を配設し、外筒の中筒止めリング部と外筒止めリング部の当接による中筒の脱抜防止構造とし、側面に矢印板を収納できる溝を具備し、中筒先端部を軸として遮断機式に左右に開閉し、引き出せば→型の折り返しとなる赤色発光ダイオードを埋設、縦列配列した長方形の矢印板２枚を収納、各表面部、裏面部の先端に半円形のプラスチック製補強版を配設、また中筒表面部、裏面部の中心側に長方形型のプラスチック製補強版を配設し、さらに先端部に前面から後面へ向け矢印板を固定するための軸受け穴を貫通させる。  
【０００８】
同穴の長方形型のプラスチック製補強板表面側、裏面側ともに基軸側に矢印板を収納したとき半球突起が合致し、仮係止となるよう半球突起受け穴を配設、その穴の左右に同じく矢印板を左右に引き出し→型で仮係止となるように半球突起受け穴を配設、軸受け穴の先端側にも矢印板を前方に回転させ直線状にしたとき仮係止するための半球突起受け穴を配設、内面には外筒と同様に磨りガラス状の艶消し処理をした表面に赤色発光ダイオード配列の透明プラスチック中筒とし、中筒内には中筒基部には、ストッパー受け穴を中筒基部の左右に貫通させ、同穴に外筒と中筒を固定するためのU型バネU字先端両外側それぞれに半球型の突起部を溶着したストッパーの突起部を挿入して配設、中筒先端部に矢印板に設置の赤色発光ダイオードのON・OFF用スイッチを配設する。
【０００９】
矢印板２枚については、横断面が台形型でその長辺面が正面となる長方形を呈し、先端部分に前面から後面へ軸受け穴を設け同穴の基軸側および先端側に表面側の矢印板は表面側に、裏面側の矢板板には裏面側に半球突起を配設、裏面の短辺面および斜面は艶消し処理をし、短辺面には長辺面に向けて角錐型の切込みをランダムに配設し、発光ダイオードの特性である光軸の直進性を角錐型の切込みにより表面に向け散光させ視認性の向上を図るもので、さらに矢印板が面発光となるように、短辺面、筒の内側には艶消し処理、蛍光塗装をする。
【００１０】
赤色発光ダイオードはサイクリック点灯を可能とするためマイナス側は共通配線プラス側は各独立配線とし筒伸縮時にも余裕あるビニール配線とし、赤色発光ダイオードの個数については、発光体の長さ、ダイオードの種類、輝度にあわせ間隔および使用個数を増減して調整するものとし、発光体を縮め最短状態とするには、把持部を兼ねた電池ケースのスイッチ側を表面側として、外筒内に中筒を先端から押圧し、完全に収納すれば中筒基部の半球受け穴にストッパーのバネ力で挿入していた半球突起が、さらに外筒基部の半球受け穴に挿入され中筒と外筒を固定する。中筒を伸長させるには、最短状態でのストッパー受け穴内の半球突起を左右から内部に向けて押圧して中筒と外筒の固定を外し、ストッパーの半球突起を移動レールに沿わしながら中筒を伸長させ半球突起を外筒先端部のストッパー受け穴に挿入して固定する。発光体の最短状態および伸長させての使用時は電池の消耗を抑えるため中筒先端の矢印板用スイッチをOFFとするも可である。
【００１１】
次に矢印板を引き出し誘導灯とするには、先の操作と同じく伸長させた状態において矢印板を左右から外部に向けて押圧して中筒との仮係止を外し、矢印板を引き出し半球受け穴で仮係止して発光体を矢印型とするもので、ガードレールや車両等の鉄部へは２個の永久磁石によりワンタッチで取付け使用することができる。さらに発光体を伸長させるには矢印板を誘導灯先端部に向けて回転させれば発光体長は当初の約３倍の一文字形とすることも可能であり、図８のように発光体を１段式として、その先端部や基部に遮断機型発光体を上記同様構造の内蔵式に配設すればよりシンプル、安価に製造することができ、また図８、図９のように矢印板の数や取り付け位置を変位させることによりデルタサインや、止まれの文字も表示できるなど多様な組み合わせができるものである。
【実施例】
【００１２】
以下本考案の実施例を図面を参照にして筒型発光体の伸縮型について説明するが、図１は本考案の伸縮式合図誘導灯１の中筒３を引き伸ばして矢印板を引き出し矢印形とした正面図であり、図２は中筒３を引き伸ばした状態の側面図で、図７は外筒先端部および断面図である。合図誘導灯１の電池ケース１bを兼ね、一例としてマイコンＰＩＣ１６Ｆ８７６−２０／ＳＰの１端子を全体の赤色発光ダイオード１４のON・OFF、点滅点灯、サイクリック点灯等多機能切り替えスイッチとし、残りの１９端子を赤色ダイオード用とするマイコンスイッチ６を配設、その裏面に永久磁石８を配設した把持部1aのスイッチ側を表面とした、把持部1aの前方に中空円筒形で、先端部内側にリング状の中筒止め部１８を配設し、同先端部分に左右に貫通するストッパー受け穴１０を配設、その裏面に永久磁石１３aを配設しさらにその基部９に同様のストッパー受け穴１１を配設し、その基部９のストッパー受け穴１１から最先端のストッパー受け穴１０へとストッパーの移動レールと回転阻止を兼ねたV字型溝移動レール１２aを配設し、裏面に磨りガラス状の艶消し処理、蛍光塗装をし、矢印板と同様の角錐、三角錐型の切込みをランダムに配設し、表面側に赤色発光ダイオード１４を縦列に配設した外筒２を接続する。
【００１３】
図３は中筒の先端および先端の断面図であり、外筒２内には、若干の間隙を設けた中筒をテレスコピック式に配設するが中筒基部９a外側にリング状の外筒受け部１９を配接し外筒内を縦方向に摺動自由にスライドできるが、中筒３を伸長させたとき中軸止め部１８と外筒止め部１９が当接し、中筒３が抜出しない構造で、側面に矢印板４、５を収納できる溝を供え、表面部３a、裏面部３bの先端３cに半円形のプラスチック製補強版１６aを配設、また同表面部３a、裏面部３bの中心側に長方形型のプラスチック製中筒補強板１６bをそれぞれに配設し、さらに先端部の先端部分に前面から後面へ向け貫通する軸受け穴１５を設け、その補強板１６bのそれぞれに基部よりに半球突起受け穴15aを軸受け穴１５を軸として弧となるように３箇所、軸受け穴１５の先端よりに半球突起受け穴15ｂを配設、内面に磨りガラス状の艶消し処理、蛍光塗装、角錐、三角錐の切込み処理をした表面に赤色発光ダイオード１４を縦列に配設する。
【００１４】
図４は表面側矢印板および、中筒先端の図面であり、図５は中筒基部付近の図面である。中筒内には中筒先端部3cを軸として左右に開閉し中筒内に収納でき、引き出せば→型の折り返しとなる断面が台形型で表面側を広い状態での赤色発光ダイオードを縦列に埋設した矢印板４、５を配設、矢印板４、５については、双方とも断面は台形型でその長辺面が正面となる長方形を呈し、裏面に磨りガラス状の艶消し処理、蛍光塗装、角錐、三角錐型反射溝２０の切込みをランダムに配設し、先端部分に前面から後面へ軸受け穴１５を設け、軸ボルト１６と軸止めナット１７により中筒に固定し、その基部側の正面側矢印板４には正面側に半球突起１６ｃ、裏面側矢印板５には裏面側に半球突起１６ｄを、それぞれ矢印板４、５を収納時、また左右いずれかへ引き出し→形とした時、及びさらに回転させての伸長時において、半球突起受け穴１５aに合致し、半固定となるよう配設し、中筒基部９a内には、外筒２と中筒３を固定するためのU型バネのU字先端両外側にそれぞれ半球型突起１３を溶着したストッパー１２を配設、中筒基部９aにストッパー受け穴１１を左右１箇所対に設け、ストッパー１２の半球突起１３を挿入する。
【００１５】
図６、図７はLED、スイッチの配置図、配線概略図であり、赤色発光ダイオード１４については、発光体２aの長さ、ダイオードの輝度、種類等、により間隔および使用個数を増減するとともに、LED個々が独自に点灯するサイクリック点灯可能配線とし、矢印板４、５を引き出して→形としたとき、サイクリック点灯は外筒２の基部から中筒先端に向け、さらに矢印板４、５双方を折り返す点灯を繰り返す機能とし、回転部、可動部等には耐伸縮強化ビニール被覆収束電線２６を使用して配線し、中筒先端部3ｃに又その先端に矢印板に設置の赤色発光ダイオードON・OFF用のスイッチ7を配設する。
【００１６】
次に合図誘導灯１の作用について説明するが合図誘導灯１の最短形としては、把持部を兼ねた電池ケース１aのスイッチ側を表面として、中筒３の半球突起１３を回転防止を兼ねたV字型溝の移動レール１２aに沿わせながら中筒先端部３ｃを外筒基部９に向け押圧し、外筒内に収納させ、ストッパー１２の半球突起１３を中筒基部９aのストッパー受け穴と外筒基部９のストッパー受け穴１１に合わせバネ力で挿入し中筒３と外筒２を固定して使用し、中筒３を伸長させての使用は、中筒３を外筒２内に収納した状態において半球突起１３を左右から内部に向けて押圧して中筒３と外筒２の固定を外し、中筒３の半球突起１３を移動レール１２aに沿わせながら中筒３を伸長させ、半球突起１３をバネ力で半球突起１３を外筒先端部のストッパー受け穴１０に合致挿入させ、外筒２、中筒３を固定するもので、発光体の最短状態および伸長させて一文字形としての使用時は電池の消耗を抑えるため中筒先端の矢印板用スイッチ７をOFFとするも可である。
【００１７】
次に矢印板４、５を引き出し誘導灯とするには、先の操作と同じく中筒３を伸長させ外筒２と固定させた状態で、中筒３内で仮係止している矢印板４、５を拇指等で左右に押し出し、正面側の半球突起１３ｃ、裏面側の半球突起１３ｂを、半球突起受け穴１５aへ合致、仮係止させることにより→型とし、マイコンスイッチにより、フラッシュ点灯、サイクリック点灯等をさせることで明確に指示方向を明示でき、また発光体を一文字型にするには矢印板４、５をさらに前方に回転させ軸前方の半球突起受け穴１５ｂに合致、仮係止させる。
ガードレールや車両等の鉄部へは永久磁石８、１３aの２個によりワンタッチで確実に取付けることができ、その他、図８は本考案の基本図形で伸縮機能を除いた２種の展開図で、である。図９は多様な組み方図で、遮断機形構造の、矢印板数や取り付け位置等を変位させ矢印板４、５の長さを主発光体と同長にするなどし、アレンジすればデルタサインになるなど多様な組み合わせができるものである。
【産業上の利用可能性】
【００１８】
合図灯は交通整理、誘導等に幅広く使用されているが、工事現場、交通事故現場等においては被規制車両に対する合図、誘導、警告等をより明確に知らしめることが求められており、ライフラインも破壊されるような大地震等の災害においても、その目的に応じた警告、誘導等の合図灯、誘導、警告灯等、また車両への非常灯としての備付けなどへと需要、汎用性が高まると思料される。
【図面の簡単な説明】
【００１９】
【図１】本考案の実施例に係る合図、誘導灯の正面図
【図２】本考案の実施例に係る側面図
【図３】本考案の実施例に係る中筒先端および断面図
【図４】本考案の実施例に係る表面側矢印板仕様図および中筒先端図
【図５】本考案の実施例に係る中筒基部、外筒先端部および断面図
【図６】本考案の実施例に係るLED、スイッチの側面配置図
【図７】本考案の実施例に係るLED、スイッチの配線概略正面図
【図８】本考案の実施例に係る伸縮機能を除いた２種の展開図
【図９】本考案の実施例に係る発光体の多様な組み方図
【符号の説明】
【００２０】
１  合図誘導灯
１a 把持部
１b 電池ケース
２  外筒
２a 発光体
３  中筒
３a 表面部
３b 裏面部
３c 中筒先端部
４  矢印板
５  矢印板
６  マイコンスイッチ
７  スイッチ
８  永久磁石
９  外筒基部
９a 中筒基部
10  ストッパー受け穴
11ストッパー受け穴
11a ストッパー受け穴
12  ストッパー
12a 移動レール
13  半球突起
13a 永久磁石
13b 半球突起
13c 半球突起
14  赤色発光ダイオード
15  軸受け穴  
15a 半球突起受け穴
15b 半球突起受け穴
16  軸ボルト
16a 先端補強板
16b 中筒補強板
16c 半球突起
16d 半球突起
17  軸止めナット
18  中筒止め
19  外筒止め
20  角錐、三角錐型反射溝
21正面側矢印板裏面図
21a 正面側矢印板正面側
22正面側矢印板側面図
22a 正面側矢印板裏面側
23正面側矢印板上面図
23a 正面側矢印板側面
24中筒先端部
25中筒基部断面図
26ビニール被覆収束電線
27配電部
【図１】
0003113808.tif 000003
【図２】
0003113808.tif 000004
【図３】
0003113808.tif 000005
【図４】
0003113808.tif 000006
【図５】
0003113808.tif 000007
【図６】
0003113808.tif 000008
【図７】
0003113808.tif 000009
【図８】
0003113808.tif 000010
【図９】
0003113808.tif 000011